(57)【要約】【課題】搬送効率、あるいは保管効率の高いロッカ装置の提供を目的とする。【解決手段】水平面板１により荷物収容室２が区画された縦長の筒状本体３に開設された正面開口４を扉体５により開放自在に閉塞してなるロッカ装置であって、  前記筒状本体３が、  前記正面開口４を備えた正面枠６を側壁構成部７の一側縁に固定して断面Ｌ字形状に形成され、前記扉体５を施解錠する扉施錠部８が組み込まれたＬ形面板部９と、  前記Ｌ形面板部９に連結されるとともに、Ｌ形面板部９の入隅に沿って折り畳み可能で、展開姿勢においてＬ形面板部９と協働して矩形枠断面を形成する折り畳み面板部１０と、  を有する。【選択図】  図２
2007029662.tif 000002
【特許請求の範囲】
【請求項１】
水平面板により荷物収容室が区画された縦長の筒状本体に開設された正面開口を扉体により開放自在に閉塞してなるロッカ装置であって、
前記筒状本体が、
前記正面開口を備えた正面枠を側壁構成部の一側縁に固定して断面Ｌ字形状に形成され、前記扉体を施解錠する扉施錠部が組み込まれたＬ形面板部と、
前記Ｌ形面板部に連結されるとともに、Ｌ形面板部の入隅に沿って折り畳み可能で、展開姿勢においてＬ形面板部と協働して矩形枠断面を形成する折り畳み面板部と、
を有するロッカ装置。
【請求項２】
前記折り畳み面板部の展開姿勢から折り畳み姿勢への移行が、水平面板の設置により規制される請求項１記載のロッカ装置。
【請求項３】
前記水平面板は、一端縁がＬ形面板部の側壁構成部に垂直回転自在に連結される請求項１または２記載のロッカ装置。
【請求項４】
前記扉施錠部は、コイン投入により操作可能に形成されるとともに、
Ｌ形面板部には、投入されたコインを保管するコインボックスを施錠するボックス施錠部が組み込まれ、
かつ、水平面板は、ボックス施錠部への操作により取り付け位置にロック可能である請求項１、２または３記載のロッカ装置。
【請求項５】
前記折り畳み面板部の底壁にはキャスタが固定される請求項１から５のいずれかに記載のロッカ装置。
【発明の詳細な説明】
【技術分野】
【０００１】
本発明はロッカ装置に関するものである。
【背景技術】
【０００２】
一般にロッカ装置は、特許文献１に記載されるように、内部に荷物収容室を形成した箱状のロッカ筐体の開口を扉体により閉塞して形成される。
【特許文献１】特開平８-８３３７８号公報
【発明の開示】
【発明が解決しようとする課題】
【０００３】
しかし、上述した従来例において、ロッカ装置の筐体は容積が大きなために、搬送効率、あるいは保管効率が悪いという欠点がある。
【０００４】
本発明は、以上の欠点を解消すべくなされたものであって、搬送効率、あるいは保管効率の高いロッカ装置の提供を目的とする。
【課題を解決するための手段】
【０００５】
本発明によれば上記目的は、
水平面板１により荷物収容室２が区画された縦長の筒状本体３に開設された正面開口４を扉体５により開放自在に閉塞してなるロッカ装置であって、
前記筒状本体３が、
前記正面開口４を備えた正面枠６を側壁構成部７の一側縁に固定して断面Ｌ字形状に形成され、前記扉体５を施解錠する扉施錠部８が組み込まれたＬ形面板部９と、
前記Ｌ形面板部９に連結されるとともに、Ｌ形面板部９の入隅に沿って折り畳み可能で、展開姿勢においてＬ形面板部９と協働して矩形枠断面を形成する折り畳み面板部１０と、
を有するロッカ装置を提供することにより達成される。
【０００６】
ロッカ装置は、筒状本体３内に画成される荷物収容室２の正面開口４を扉体５により閉塞して形成される。荷物収容室２を形成するために、少なくとも筒状本体３の上下開放端は水平面板１により閉塞され、必要に応じて、その中間部に水平面板１がさらに配置されて荷物収容室２が細分される。
【０００７】
筒状本体３は上記扉体５を施錠するための扉施錠部８が組み込まれたＬ字状断面形状をなすＬ形面板部９に折り畳み面板部１０を連結して形成される。折り畳み面板部１０はＬ形面板部９の内壁面、すなわち入隅に沿って折り畳み自在であり、折り畳んだ状態で筒状本体３はＬ字状の縦長長尺体となる。
【０００８】
ロッカ装置の本体であり容積が大きな筒状本体３を折り畳み可能にすることにより、運搬、保管時のスペースを減少させることが可能になり、運搬、保管効率が向上する。
【０００９】
また、扉施錠部８がＬ形面板部９に予め組み込まれた本発明において、ロッカの設置作業は、筒状本体３を展開した後、水平面板１を固定し、さらに扉体５を装着するだけで完了するために、設置作業性も向上する。扉体５は、筒状本体３とは別体に搬送して設置現場で取り付けることもできるが、予めＬ形面板部９に連結しておくと、より作業性が向上する。扉施錠部８は、扉体５側の施錠用構成要素と協働して施錠状態において扉体５の開放操作を規制することができれば足り、例えば、シリンダ錠等の施解錠操作部が扉体５側に配置される場合には、シリンダ錠側の施錠体が係止するストライカであってもよい。
【００１０】
Ｌ形面板部９は、筒状本体３の正面壁、およびこれに隣接する一方の側壁の全体を構成する必要はなく、折り畳み面板部１０の一部が正面壁、あるいは側壁構成部７を形成するものであってもよい。また、筒状本体３は、折り畳んだ状態の長尺体が自立可能なように、Ｌ形断面の２辺の辺長を決定するのが望ましいが、折り畳み面板部１０の底壁にキャスタ１３、保持脚等を脱離不能、あるいは脱離可能に連結し、床面への投影面積を実効的に高めて座りをよくすることができる。
【００１１】
さらに、折り畳み面板部１０の底壁にキャスタ１３を固定すると、自立姿勢からの展開操作が簡単になり、設置作業性が向上する。
【００１２】
折り畳み面板部１０を展開姿勢に維持するためには、例えばＬ型の連結金具等をネジ等で固定することにより行うことが可能であるが、水平面板１の外形寸法を展開時の筒状本体３の断面寸法にほぼ一致させる等した場合には、連結金具等を使用することなく筒状本体３の形状を維持することができるために、設置作業効率が向上する。
【００１３】
水平面板１は、筒状本体３に設置現場で設置することも可能であるが、予めＬ形面板部９の側壁構成部７に連結しておくと、運搬効率がより向上する。この場合、水平面板１は、筒状本体３が折り畳み状態のときにはＬ形面板部９に沿う起立、あるいは垂下姿勢を取り、組立時には、適宜手段で水平姿勢を保持する。
【００１４】
さらに、ロッカ装置をコイン投入により扉体５の施解錠操作が可能になるコインロッカとして構成する場合には、
Ｌ形面板部９には、投入されたコインを保管するコインボックス１１を施錠するボックス施錠部１２が組み込まれ、
かつ、水平面板１は、ボックス施錠部１２への操作により取り付け位置にロック可能であるロッカ装置が使用できる。
【００１５】
コインロッカにおいてコイン回収は特別の権限をもった管理者のみが可能であり、この管理者のみが操作できるボックス施錠部１２への操作と、水平面板１のロック解除操作を関連付けると、管理者が水平面板１の状態を自由に変更できる。この結果、例えば、２つの荷物収容室２を区画していた水平面板１を取り外し、あるいはＬ形面板に予め連結されている場合には垂直姿勢に移行させて仕切状態を解除し、１つの荷物収容室２として利用する等、荷物収容室２のレイアウトを自由に変更することができる。
【発明を実施するための最良の形態】
【００１６】
以下、コインロッカとして構成された本発明の実施の形態について説明する。図１、２に示すように、コインロッカはＬ形面板部９と折り畳み面板部１０とを連結した筒状本体３を有する。Ｌ形面板部９と折り畳み面板部１０の底壁には、キャスタ１３、およびレベルフット１４が固定される。
【００１７】
Ｌ形面板部９はコインロッカの正面壁面を構成する正面枠６の一端から奥行き方向に一側壁面を構成する側壁構成部７を連結して断面Ｌ字形状の長尺体として形成される。Ｌ形面板部９の正面枠６は中央部に正面開口４を開設した枠体であり、正面枠６には正面開口４を閉塞するために、複数の扉体５が回転自在に連結される。後述するように、この実施の形態は、初期設定で４個の荷物収容室２を形成するように構成されるもので、正面枠６には、荷物収容室２の数に対応して４枚の扉体５が連結される。
【００１８】
８は各扉体５に対応して正面枠６に固定される扉施錠部であり、正面枠６前面に露出するキー挿入開口８ａから挿入される図外の解錠キーにより施解錠操作を行うことができ、施錠状態において扉体５側に形成されたストライク（図示せず）を係止して扉体５の開放操作を規制する。
【００１９】
８ｂはコイン投入口であり、このコイン投入口８ｂからのコイン投入が扉施錠部８により検知された場合にのみ解錠キーにより施解錠操作が可能となる。施錠状態において過ってコインが投入されないように、コン投入口８ｂは、施錠状態において扉体５の把手５ａによりコインの投入ができない程度に覆われる。投入されたコインは、図１（ａ）において鎖線で示すコイン落下経路１５を通ってＬ形面板部９の下端部に配置されるコインボックス１１に保管される。
【００２０】
図２に示すように、折り畳み面板部１０は、背面壁部材１０ａ、第１側壁部材１０ｂ、第２側壁部材１０ｃを、枢軸１６ａにより連結されるヒンジ体１６を介して水平回転自在に連結して形成される。これら背面壁部材１０ａ、第１、第２側壁部材１０ｂ、１０ｃはＬ形面板部９とほぼ等高の縦長矩形状の面部材であり、図２（ｃ）に示すように、背面壁部材１０ａは正面枠６とほぼ等幅に形成される。また、第１、第２側壁部材１０ｂ、１０ｃは幅寸法の和がＬ形面板部９の側壁構成部７の幅寸法にほぼ等しく、さらに、背面壁部材１０ａの幅寸法と第１側壁部材１０ｂの幅寸法の和がＬ形面板部９の側壁構成部７の幅寸法にほぼ等しくなるように設定される。これら各部材の一側面には、後述する水平面板１を支承するための支承段部１７が突設される。
【００２１】
したがって、この実施の形態において、コインロッカは、保管、運搬等、設置前の状態では図２（ａ）に示すように、背面壁部材１０ａおよび第１側壁部材１０ｂが直線状でＬ形面板部９の側壁構成部７の内壁面に沿い、第２側壁部材１０ｃが正面枠６の内壁に沿った状態に折り畳まれる。この状態で、筒状本体３は全体としてＬ字断面を有する長尺体となり、保管スペースが節約される。
【００２２】
この状態から、図２（ｂ）に示すように、折り畳み面板部１０を展開すると、図２（ｃ）に示すように、矩形筒形状とすることができ、展開された筒状本体３の内部空間が荷物収容部として利用される。折り畳み面板部１０の底壁に設けられたキャスタ１３は、立ち姿勢での展開位置への移動操作を容易にする。
【００２３】
各隅角が９０°となった状態で展開操作が停止されるように、Ｌ形面板部９と折り畳み面板部１０との連結部には角度規制プレート１８が配置される。図２（ｄ）に示すように、角度規制プレート１８は長孔１８ａが開設された板状部材であり、一端が使用してＬ形面板部９の天井面に水平回転自在に連結される。図２において角度規制プレートの枢軸を１８ｂで示す。
【００２４】
上記角度規制プレート１８の長孔１８ａには、折り畳み面板部１０側に立設されるピン１９が移動自在に挿通され、隅角角度が９０°になったときにピン１９が長孔１８ａの終端に当接して展開角度を規制する。
【００２５】
さらに、図２（ｄ）に示すように、各部材の連結部にはカバー体２０が固定される。カバー体２０は、図２（ｃ）に示すように、展開状態となった際の連結部を外側から覆い、隙間の発生を防止する。
【００２６】
上記Ｌ形面板部９の側壁構成部７には水平面板１の一端が回転自在に連結される。図４（ｃ）に示すように、水平面板１は展開された筒状本体３の内側断面よりやや小さな矩形板状体であり、側縁に形成されたヒンジ片１ａを貫通するヒンジピン２１を、上記Ｌ形面板部９のヒンジ片９ａに貫通させてＬ形面板部９に連結される。また、水平面板１の側縁には圧縮スプリング２２ａにより飛び出し方向に付勢されるラッチ２２が装着される。
【００２７】
図１（ｂ）に示すように、水平面板１は筒状本体３の上下開放端を閉塞するための天板、底板として使用される２枚と、上記２枚の水平面板１により形成されるロッカ空間を４室に区画するために仕切板として利用される３枚の合計５枚がＬ形面板部９に連結される。図３（ａ）に示すように、天板として利用される１枚の水平面板１は、上端縁がＬ形面板部９に連結され、折り畳み状態で垂下姿勢を取っており、荷物収容室２の形成に当たって、先ず、この水平面板１を上方に回転させ、自由端縁に配置されるラッチ２２を折り畳み面板部１０の係止部（図示せず）に係止させて水平姿勢が保持される。
【００２８】
一方、他の水平面板１は、図３（ａ）に示すように、自由端縁を上方に向けた起立姿勢でＬ形面板部９に連結される。水平面板１を起立姿勢に保持するために、Ｌ形面板部９には、図３（ｂ）に示すように、水平面板１のラッチ２２が係止する面板押さえ片２３が突設される。
【００２９】
上記各水平面板１は、図４（ｂ）に示すように、側縁裏面を折り畳み面板部１０の支承段部１７上に支承されて水平姿勢を維持し、この状態でラッチ２２が折り畳み面板部１０の内壁面に圧接してがたつきが防止される。
【００３０】
水平姿勢にある水平面板１の鉛直姿勢への移行操作を規制するために、Ｌ形面板部９には面板施錠部２４が設けられる。図５に示すように、面板施錠部２４は、各水平面板１をロックするロック部２５と、後述するボックス施錠部１２と、操作リンク２６とからなる。
【００３１】
図５（ｃ）に示すように、ロック部２５はフック形状に形成され、各水平面板１ごとに設けられる。これら複数のロック部２５は、上下方向に長い連結杆２７に固定され、連結杆２７を水平回転させることによりロック位置とアンロック位置との間で水平回転駆動される。連結杆２７に対する空転を防止するために、連結杆２７は六角形断面形状に形成される。
【００３２】
ロック部２５は、図６（ａ）、（ｂ）に示すように、ロック位置において水平面板１の自由端縁に開設されたロック開口１ｂに進入し、図５（ｂ）、（ｃ）に示すアンロック位置においてロック開口から退避する。
【００３３】
一方、水平面板１のロック開口１ｂ内には、図５（ｃ）において回転軸２８ａを中心として時計回りの回転のみが許容されるワンウエイクラッチ２８が収容される。ワンウエイクラッチ２８は、図６に示すように、水平面板１の回転に伴ってロック位置にあるロック部２５に干渉する位置に配置される。
【００３４】
したがってこの実施の形態において、図６（ｂ）に示すように、ロック部２５がロック状態で、かつ、ワンウエイクラッチ２８より高い位置にある状態から水平面板１を起立方向に回転させようとすると、図６（ｃ）に示すように、ワンウエイクラッチ２８は回転規制側に力を受けてロック部２５に干渉し、水平面板１の起立操作が規制される。これに対し、図６（ｄ）、（ｅ）に示すように、水平面板１を起立姿勢から水平姿勢に移行させる場合には、ワンウエイクラッチ２８は、時計回りに回転してロック部２５をかわし、図６（ｂ）の状態に移行できるために、ロック部２５がロック状態であっても、水平面板１の水平姿勢への移行、すなわち、装着操作は許容される。
【００３５】
この実施の形態において、面板施錠部２４には、コインボックス１１への不正アクセスを防止するために設けられるボックス施錠部１２が利用される。コインボックス１１は、図７（ａ）に示すように、Ｌ形面板部９に形成されるボックス収容部９ｂ内に引き抜き可能に収容され、ボックス施錠部１２は、コインボックス１１の前端に組み込まれたシリンダ錠１２ａを含む。シリンダ錠１２ａにはロックタング１２ｂが連結され、シリンダ錠１２ａを施錠位置に回転させると、ロックタング１２ｂが図７（ｂ）に示すように、Ｌ形面板部９に係止してコインボックス１１の引き抜き動作を禁止する。
【００３６】
一方、操作リンク２６は、図７（ａ）に示すように、一端にカム切欠２６ａを有して上記ボックス施錠部１２と連結杆２７との間に橋渡される。カム切欠２６ａには、連結杆２７の下端に固定される回転リンク２９の突部２９ａが挿入され、操作リンク２６を側方（図７（ａ）における矢印Ｍ方向）に並進移動させることにより連結杆２７を回転駆動することができる。操作リンク２６の中間部には、外部からの操作リンク２６への操作を可能にするための摘み２６ｂが固定される。
【００３７】
また、図８に示すように、操作リンク２６の他端にはストッパ突起２６ｃが切り起こされるとともに、コインボックス１１の前端部にはストッパ溝１１ａが形成される。ストッパ溝１１ａはストッパ突起２６ｃが嵌合可能な幅寸法を有してコインボックス１１の引き抜き方向に延設され、奥行き側終端が開放される。
【００３８】
操作リンク２６のストッパ突起２６ｃは、図８（ａ）、（ｂ）に示すように、コインボックス１１がボックス収容部９ｂ内に収容され、さらにロック部２５がロック位置にあるときにストッパ溝１１ａに対応し、該ストッパ溝１１ａに嵌合する。この状態で、操作リンク２６の側方への移動が規制されるために、ロック部２５を回転駆動することができない。
【００３９】
これに対し、図８（ｃ）に示すように、ボックス施錠部１２のシリンダ錠１２ａを解錠操作した後、コインボックス１１を引き出すと、ストッパ突起２６ｃはストッパ溝１１ａから離脱し、以後、操作リンク２６を操作してロック部２５をアンロック位置側に回転駆動することができる。
【００４０】
したがってこの実施の形態において、コインボックス１１を引き出してコインを回収する権限、すなわち、ボックス施錠部１２の解錠キーを持っている場合には、自由に水平面板１を起立姿勢に移行させることができる。仕切板として利用している水平面板１を起立させることにより、２室に区画された荷物収容室２を１室として利用することが可能になり、荷物収容室２のレイアウトを自由に変更できる。
【００４１】
また、全ての水平面板１を起立、あるいは垂下姿勢に移行させると、折り畳み面板部１０の折り畳み方向への移動の規制が解除されるために、自由に折り畳み面板部１０を折り畳み、撤去、搬送することができる。
【図面の簡単な説明】
【００４２】
【図１】本発明を示す図で、（ａ）は折り畳み状態を示す正面図、（ｂ）は折り畳み面板部を展開し、さらに扉体を開放した状態の正面図である。
【図２】筒状本体の展開操作を示す図で、（ａ）は折り畳み状態の平面図、（ｂ）は折り畳み面板部の展開動作途中を示す平面図、（ｃ）は展開完了状態を示す平面図、（ｄ）は（ａ）の２Ｄ部拡大図である。
【図３】水平面板の作動を示す図で、（ａ）は天板の設置状態を示す正面図、（ｂ）は（ａ）の３Ｂ部拡大図である。
【図４】水平面板の作動を示す図で、（ａ）は天板以外の水平面板を回転させた状態を示す正面図、（ｂ）は設置完了状態の部分正面図、（ｃ）は水平面板の平面図である。
【図５】面板施錠部を示す図で、（ａ）は面板施錠部の全体構成を示す説明図、（ｂ）はロック部を示す図、（ｃ）は（ｂ）の５Ｃ-５Ｃ線断面図である。
【図６】ロック部の動作を示す図で、（ａ）はロック状態を示す図５（ｂ）に対応する拡大図、（ｂ）は図６（ａ）の６Ｂ方向矢視図、（ｃ）は水平面板を起立方向に回転させた状態を示す図、（ｄ）は水平面板を水平姿勢側に回転させた状態を示す図、（ｅ）はワンウエイクラッチの動作を示す図である。
【図７】面板施錠部を示す図で、（ａ）は操作リンクを示す平面図、（ｂ）はボックス施錠部を示す拡大断面図である。
【図８】面板施錠部の動作を示す図で、（ａ）は図７（ａ）の８Ａ-８Ａ線断面図、（ｂ）は図８（ａ）の８Ｂ-８Ｂ線断面図、（ｃ）はコインボックスを引き出した状態を示す図である。
【符号の説明】
【００４３】
１        水平面板
２        荷物収容室
３        筒状本体
４        正面開口
５        扉体
６        正面枠
７        側壁構成部
８        扉施錠部
９        Ｌ形面板部
１０      折り畳み面板部
１１      コインボックス
１２      ボックス施錠部
１３      キャスタ
【図１】
2007029662.tif 000003
【図２】
2007029662.tif 000004
【図３】
2007029662.tif 000005
【図４】
2007029662.tif 000006
【図５】
2007029662.tif 000007
【図６】
2007029662.tif 000008
【図７】
2007029662.tif 000009
【図８】
2007029662.tif 000010